(57)【要約】本発明は、長手方向及び長手方向に直角な横方向を有し、かつ液密カバーシート（１２８；３２８）と液体透過性カバーシート（１３０；３３０）の間に配置された吸収芯（１２９；３２９）を含むおむつパンツ（１０１；３０１）に関する。おむつパンツ（１０１；３０１）は前部分（１２１；３２１）、後部分（１２２；３２２）及び中間股部分（１２３；３２３）、実質的に横方向に延びる前縁及び後縁を有し、かつ腰開口（１０７；３０７）を形成し、二つの側縁が実質的に長手方向に延び、かつ二つの脚開口（１０５，１０６；３０５，３０６）を形成する。弾性シート材料は、少なくともおむつパンツ（１０１；３０１）の腰開口（１０７；３０７）に沿って配置されかつ腰開口（１０７，３０７）から脚開口（１０５，１０６；３０５，３０６）まで全体にわたって延び、弾性シート材料は実質的に延伸されない状態で吸収芯（１２９；３２９）に固定される。
2005517497.tif 000002
【特許請求の範囲】
【請求項１】
長手方向及び長手方向に直角な横方向を有し、かつ液体バリヤーシート（１２８；３２８）と液体透過性内部シート（１３０；３３０）の間に配置された吸収芯（１２９，３２９）を含むおむつパンツ（１０１；３０１）であって、吸収パンツ（１０１；３０１）が前部分（１２１；３２１）、後部分（１２２；３２２）及び中間股部分（１２３，３２３）、実質的に横方向に延びる前縁及び後縁を有し、かつ伸張された周囲と伸張されない周囲を有する腰開口（１０７；３０７）を形成し、二つの側縁が実質的に長手方向に延び、かつ二つの脚開口（１０５，１０６；３０５，３０６）を形成するものにおいて、吸収パンツ（１０１；３０１）が、少なくとも腰開口（１０７；３０７）に沿って配置されかつ腰開口（１０７；３０７）から脚開口（１０５，１０６；３０５，３０６）まで全体にわたって延びる弾性シート材料を含み、弾性シート材料が実質的に延伸されない状態で吸収芯（１２９；３２９）に固定されることを特徴とするおむつパンツ。
【請求項２】
弾性シート材料の伸張性が吸収パンツ（１０１；３０１）の横方向において少なくとも８０％であり、腰開口（１０７；３０７）の伸張された周囲が伸張されない周囲より少なくとも８０％大きいことを特徴とする請求項１に記載のおむつパンツ。
【請求項３】
弾性シート材料の伸張性が吸収パンツ（１０１；３０１）の横方向において少なくとも１００％であり、腰開口（１０７；３０７）の伸張された周囲が伸張されない周囲より少なくとも１００％大きいことを特徴とする請求項１に記載のおむつパンツ。
【請求項４】
弾性シート材料が吸収芯（１２９；３２９）を支持する外部パンツ（１０２；３０２）を形成することを特徴とする請求項１〜３のいずれかに記載のおむつパンツ。
【請求項５】
弾性部材が腰開口（１０７；３０７）のまわりに配置され、かつ腰弾性体（１１０；３１０）を形成することを特徴とする請求項１〜４のいずれかに記載のおむつパンツ。
【請求項６】
弾性部材が脚開口（１０５，１０６；３０５，３０６）のまわりに配置され、かつ脚弾性体（１０８，１０９；３０８，３０９）を形成することを特徴とする請求項１〜５のいずれかに記載のおむつパンツ。
【請求項７】
弾性部材（１０８，１０９，１１０；３０８，３０９，３１０）が最大１０％の伸張で吸収パンツ（１０１，３０１）上に配置されることを特徴とする請求項５又は６に記載のおむつパンツ。
【請求項８】
吸収パンツが２００ｇの重量を支持することができることを特徴とする請求項１〜７のいずれかに記載のおむつパンツ。
【請求項９】
吸収パンツが１０００ｇの重量を支持することができることを特徴とする請求項１〜８のいずれかに記載のおむつパンツ。
【請求項１０】
おむつパンツ（１０１）が、液体バリヤーシート（１２８）、吸収芯（１２９）及び液体透過性内部シート（１３０）を含む芯パック（１２７）を含み、前記芯パック(１２７)が弾性シート材料に向かって液体バリヤーシート(１２８)で固定されることを特徴とする請求項１〜９のいずれかに記載のおむつパンツ。
【請求項１１】
吸収芯(３２９)が弾性液体透過性内部シート（３３０）と弾性バリヤーシート（３２８）の間に配置されていることを特徴とする請求項１〜９のいずれかに記載のおむつパンツ。
【発明の詳細な説明】
【技術分野】
【０００１】
本発明は、長手方向及び長手方向に直角な横方向を有し、かつ液密カバーシートと液体透過性カバーシートの間に配置された吸収芯を含むおむつパンツであって、吸収パンツが前部分、後部分及び中間股部分、実質的に横方向に延びる前縁及び後縁を有し、かつ伸張された周囲と伸張されない周囲を有する腰開口を形成し、二つの側縁が実質的に長手方向に延び、かつ二つの脚開口を形成するものに関する。
【背景技術】
【０００２】
おむつパンツの主要な構成要素は通常、二つのカバーシートの間に配置される吸収芯であり、それらのカバーシートの一方は液体バリヤーシート、例えばプラスチックフィルムであり、他方は液体透過性カバーシート、例えば不織シートである。液体透過性カバーシートと関連して配置される内部バリヤー、例えば隆起縁バリヤー、又は液体バリヤーシートの外側に配置される織物状外部カバーの如きさらなる構成要素も存在させることができる。吸収パンツは、使用中使用者の前方に向けられかつ使用者の鼠蹊領域を横切って横たわる前部分、使用中使用者の後方に向けられかつ使用者のお尻を横切って横たわる後部分、及び前部分と後部分の間に配置されかつ使用者の股に位置されることを意図される股部分を伴って設計される。前部分、後部分及び股部分は二つの脚開口及び腰開口を有する吸収パンツ又はブリーフを一緒に形成する。吸収芯は通常、脚開口の間の実質的に中央に配置され、少なくとも股部分にわたって延びる。使用中使用者のヒップを横切って配置される吸収パンツの部分は一般に吸収材料を含有しない。これらの部分は例えばカバーシートの一方又は両方、別個の外部カバー、又は通常側部パネルと称される別個の材料片からなる。
【０００３】
吸収パンツが衣料品のように使用者の体形及び体のサイズに適合することを確実にするために、及び脚開口及び腰開口のまわりに漏出を防止するファスナーシールを形成するために、吸収パンツはまた、一般に弾性糸又はバンドの形の弾性部材を与えられる。弾性糸又はバンドは一般に、連続的なプロセスでかつ延伸された状態で吸収パンツの一以上の構成要素に、一般に少なくとも一つのカバーシートに固定される。延伸された弾性部材を例えばカバーシートに固定することによって、非弾性材料シートに弾性特性を与えることもできる。弾性部材は公知のおむつパンツの製造中、延伸され続けられる。個々のおむつパンツが連続的な製造ウェブから切り出されるとき、弾性部材の延伸が停止し、それらは一緒に集められて未延伸状態になる。そうするとき、弾性部材に固定された構成要素もまた一緒に集められる。これは完成した吸収パンツが少なくとも弾性部材のまわりに領域においてしわの付いた外観を有することを意味する。さらに、弾性部材は折りたたみや包装を困難にする三次元形状をパンツに与える。
【０００４】
公知のおむつパンツの良好な適合を達成し、おむつパンツが異なる体形及び体のサイズを有する人によって使用可能になるためには、おむつパンツは吸収パンツの前及び後部分を横切って平行に走る多数の弾性部材を与えられることが多い。かかる配置は技術的な見地からかなり十分に機能するが、多くの弾性部材は公知のおむつパンツに特にしわの付いたダブダブの外観を与える。これは様々な理由のためにマイナス要因である。最大の欠点はこの種のパンツおむつを通常の衣服の下に隠すことが難しいことであり、それは特におむつパンツの大人の使用者にとって極めて当惑しうる。しわの付いた外観はまた、吸収物品が実際、大人の失禁症を患う人によってマイナス要因として認識されるおむつであるという即座の印象を強める。それゆえ、おむつより下着として認識されかつそのように見えるおむつパンツを製造することが望ましい。しわの付いたおむつパンツを使用する別の欠点は折り目及びしわが使用者の皮膚の摩擦及び刺激の形の不快感を生じうることである。
【０００５】
改良された適合性を達成し、かつ多数の延伸された弾性部材の使用を避ける方法は弾性部材、例えば弾性不織布、又は弾性積層体からパンツおむつの側部パネルを作ることである。しかしながら、これまで提案された弾性側部パネルを有するおむつパンツの主要な問題はそれらが高い製造スピードで別個の弾性材料片を取扱うことを必要とするのでそれらの製造が複雑なことである。さらに、弾性側部パネルを用いても吸収パンツの前部分及び後部分の大部分が非弾性のままであるのでおむつパンツの限られたサイズ適合性及び形状適合性を得ることができるにすぎない。
【０００６】
それゆえ、装着するのが快適で、適所にしっかりと固定され、通常の衣服の下に隠すことができる吸収おむつパンツに対する要求が大きい。
【発明の開示】
【０００７】
本発明によれば、この種の従来公知のおむつパンツの欠点を実質的に除去する冒頭に述べたタイプの弾性おむつパンツが得られる。本発明によるおむつパンツは、それらが、少なくとも吸収パンツの腰開口に沿って配置されかつ腰開口から脚開口まで全体にわたって延びる弾性シート材料を含み、弾性シート材料が実質的に延伸されない状態で吸収芯に固定されることを主に特徴とする。
【０００８】
本発明によるパンツおむつは実質的に延伸されない、緊張のない状態で、即ちわずかな程度の弾性緊張だけで一緒に接合された材料から作られる。実質的に延伸されない状態の弾性材料はここでは材料がその完全に延伸されていない状態から５％までしか延伸されないことを意味するものとして理解される。これは完成したおむつパンツが滑らかであり、実質的に平坦な形状を有することを意味する。本発明によるおむつパンツ美観的に心地良い外観を有し、快適であり、目立たず装着でき、しわの付いた三次元の弯曲した部分を持つ従来公知のおむつより折りたたみ及び包装がかなり容易である。
【０００９】
本発明によるおむつパンツの弾性部分は吸収パンツが装着されるときに活性化される。弾性部分は吸収パンツが使用者の体上に適合しうるように延伸される。吸収パンツのサイズは、弾性部分が使用中延伸されつづけ、従って緊張のない状態に引っ張ろうとし、その手段によって吸収パンツが使用者の体上に維持されるようなものである。好ましい例によれば、弾性シート材料は二以上の方向に弾性的に伸張可能であり、それは吸収パンツの適合性に関して有利である。
【００１０】
容易かつ快適に装着及び脱着を行うことができる吸収パンツに対して、伸張性はパンツが使用者のヒップを横切って延伸されることができるために十分でなければならないことが見出された。伸張性はパンツがヒップを横切って延伸されうるようなもの及び単にパンツを腰縁で把持することによってヒップ上を引っ張りあげることができるようなものであるべきである。容易かつ快適に装着できる吸収パンツでは、弾性シート材料の伸張性は吸収パンツの横方向において少なくとも８０％、好ましくは吸収パンツの横方向において少なくとも１００％であるべきである。
【００１１】
吸収パンツの適合性に関して、もし吸収パンツの長手方向、即ち吸収パンツの前縁と後縁の間の線に平行な方向の弾性シート材料の伸張性が少なくとも８０％、好ましくは少なくとも１００％であるなら有利である。
【００１２】
弾性伸張性はここでは材料が可塑的に変形又は破裂せずに許される伸張方向における延長に関する。もし材料が弾性的に伸張可能であるものとして考えるべきなら、材料は伸張を止めると、縮まって伸張方向でその元の範囲を回復しようとすることも必要である。完全に弾性の材料は伸張されない状態に完全に戻り、弾性に劣る材料は延伸力を止めるときであってもわずかに延伸されたままである。本発明の目的のためには、弾性材料ウェブは延伸されない材料ウェブの最大１５０％、好ましくはその最大１２０％である範囲に戻すことができることが好ましい。
【００１３】
弾性シート材料は吸収芯を支持する外部パンツの形で配置されることが有利である。かかる例は極めて良好な適合性を有するおむつパンツを与える。
【００１４】
本発明によるおむつパンツの適合性及び耐漏出性をさらに改良するために、弾性部材は腰開口のまわりに配置され、従って腰弾性体を形成することができる。
【００１５】
対応するように、弾性部材は脚開口のまわりに配置されて脚弾性体を形成することができる。脚弾性体は吸収パンツの使用中、使用者の脚のまわりに適合する。改良された適合性及び増大した耐漏出性に寄与することに加えて、脚弾性体及び腰弾性体は吸収パンツにブリーフ状の外観を与える。
【００１６】
腰弾性体及び脚弾性体における弾性部材は好ましくは最大１０％、より好ましくは最大５％の程度の伸張性で実質的に延伸されない状態で吸収パンツ上に配置されることが好ましい。
【００１７】
低い予備緊張で又は全く予備緊張なしで弾性部材を適用するとき、弾性部材は弾性部材における弾性が阻止されないような方法で固定されることが重要である。これは例えば弾性接着剤を使用することによって、弾性部材に沿って延伸可能なパターンで接着することによって、又は間欠性の溶接によってなされることができる。延伸可能な接着剤パターンの例はスポット接着、スプレー接着、及び弾性部材を横切って配置された接着剤ストランドの形で適用される接着剤である。
【００１８】
使用者が多量の体排泄物を吸収したときであっても吸収パンツが使用者の体の正しい位置で維持され使用者のヒップを横切って滑らないことを確実にするためには、吸収パンツは吸収パンツが軽い失禁症の人に対して意図されるときに少なくとも２００ｇ（約２Ｎ）の重量を支持することができるべきである。一般に軽い失禁症を患う人は尿失禁だけであり、一般に排尿後に機会が生じるとすぐに失禁保護帯を変えることができる。逆に、重い失禁症の人はしばしば膀胱内が空になるときを決定することができず、それゆえしばしば失禁保護帯を変える状態にない。さらに、重い失禁は尿失禁と糞便の失禁の組合わせを伴うことが極めて多く、それはかなり多い量の体排泄物が一般に深刻な失禁者のための失禁保護帯に保持されなければならないことを意味する。それゆえ、かかる失禁保護帯は１０００ｇ（約１０Ｎ）の重量を支持できるべきである。
【００１９】
本発明の一つの例によれば、吸収パンツは液体バリヤーシート、吸収芯及び液体透過性内部シートを含む芯パックを含み、前記芯パックは弾性シート材料に向かって液体バリヤーシートで固定される。
【００２０】
本発明の別の例によれば、吸収芯は弾性液体透過性内部シートと弾性バリヤーシートの間に配置される。
【００２１】
図面の記述
本発明は添付図面を参照して以下に詳細に記載されるだろう。
図１は芯パックを含む本発明の第一例によるおむつパンツを示す。
図２は図１の芯パックを示す。
図３は本発明の第二例によるおむつパンツを示す。
【発明を実施するための最良の形態】
【００２２】
図１に示されたおむつパンツ１０１は弾性的に伸張可能な外部パンツ１０２を含み、それは内部弾性材料シート１０３及び例えば接着剤結合によって又は熱又は超音波での溶接によって互いに接続された外部弾性材料シート１０４によって形成される。好適な弾性材料シートは様々なタイプの弾性不織材料である。前述したように、本発明による吸収パンツに使用するために好適な弾性不織材料はパンツの腰開口（以下参照）が十分に幅広くパンツが通常の方法で使用者のヒップを横切って引き上げることができるようにパンツの横方向に少なくとも８０％、好ましくは少なくとも１００％弾性的に延伸されることができるべきである。もし弾性不織材料が吸収パンツの長手方向、即ち横方向に直角の方向に弾性的に延伸されうるなら有利である。
【００２３】
外部パンツ１０２に含まれる材料シートはさらに積層体からなることができる。さらに、もちろん３以上のシートを使用して外部パンツを形成することができる。
【００２４】
外部パンツ１０２は二つの脚開口１０５，１０６及び腰開口１０７を有し、腰開口１０７はおむつパンツの横方向に延び、かつおむつパンツの使用時に使用者の胃の上に配置される前腰縁、及び使用時に使用者の背中を横切って配置される後腰縁によって形成される。
【００２５】
弾性部材は脚開口１０５，１０６のまわりの脚弾性体１０８，１０９及び腰開口１０７のまわりの腰弾性体１１０として配置されている。示された図示例では、弾性部材１０８，１０９，１１０は二つの弾性材料シート１０３，１０４の間に固定される。しかしながら、本発明の範囲内ではちょうど一つの材料シートから外部パンツを形成し、この場合において脚開口及び腰開口のまわりの弾性部材をこの材料シートにだけ固定することができる。
【００２６】
外部パンツ１０２は、使用中使用者の前方に向けられかつ使用者の胃を横切って横たわる前部分１２１、使用中使用者の後方に向けられかつ使用者の尻を横切って横たわる後部分１２２、及び使用中使用者の脚の間に配置される狭い中間股部分１２３を伴って設計される。外部パンツ１０２はまた、二つの側部継目１２５，１２６を有し、それらは腰開口１０７と脚開口１０５，１０６の間で前部分１２１を後部分１２２に接続し、それらはおむつパンツ１０１の使用中使用者のヒップを横切って配置されることを意図される。
【００２７】
芯パック１２７は弾性的に伸張可能な外部パンツ１０２の内側に固定される。芯パック１２７は共通の表面の全体を横切って、又はその一部にわたってだけ外部パンツ１０２に固定されることができる。例えば、芯パック１２７は前部分１２１から後部分１２２までおむつパンツ１０１を横切って中央に延びる線又は帯形状領域に沿ってのみ固定されることができる。あるいは、芯パックは一以上の横方向線又は帯形状領域に沿って固定されることができる。例えば、おむつパンツの股部分１２３において横方向取付領域内で芯パックを固定することが好都合であるかもしれない。多数の取付点又は取付領域を介して芯パックを固定することもできる。芯パック１２７は使用中緩んだり又は適所から移動しないことを確実にするために外部パンツ１０２の内側に十分にしっかりと固定されるべきである。しかしながら、もし芯パック１２７が外部パンツ１０２に対してある程度の移動性を有するなら有利である。なぜならばこれは伸張が芯パック１２７によってできるだけ小さく制限されるなら外部パンツ１０２の弾性伸張性が良好に使用されうることを意味するからである。
【００２８】
芯パック１２７は図２において最も良好に示され、かつ液体バリヤーシート１２８、吸収芯１２９、及び液体透過性内部シート１３０を含む。芯パック１２７は液体バリヤーシート１２８で内部弾性材料シート１０３に向かって固定される。図１及び２は一方が他方の上に置かれた二つの吸収シート１３１，１３２からなる吸収芯１２９を示し、液体バリヤーシート１２８の最も近くに位置される下部吸収シート１３１は内部シート１３０の最も近くに位置される上部吸収シート１３２よりわずかに大きい。示された例では、芯パック１２７は平面において角ばった砂時計形状を有し、芯パックの平面形態は液体バリヤーシート１２８及び液体透過性内部シート１３０の形状によって規定され、それらは一緒に吸収芯１２９を包囲する。もちろん芯パック１２７を別の平面形態で使用することができ、例えば液体バリヤーシート１２８及び内部シート１３０はより丸められた砂時計形状、矩形、台形、楕円形などを有することができる。芯パックは図に示されるサイズである必要はない。例えば、軽い失禁のための保護として又は衛生ナプキンとして意図される吸収パンツの場合では、主に吸収パンツの股部分１２３に位置される吸収芯１２９を有すれば十分であるだろう。
【００２９】
液体透過性内部シート１３０は目的のために公知のいかなる材料からなることもでき、例えば不織材料の層、有孔プラスチックフィルム、ネット材料、トウなどからなることができる。内部シート１３０はもちろん同じ又は異なる材料の二以上のシートの積層体からなることもできる。
【００３０】
液体バリヤーシート１２８は液密プラスチックフィルム、疎水性不織シート、又は液体バリヤー特性を与えるように処理された不織シート、又は液体透過に抵抗性を持つ他の可撓性材料シートからなることができる。しかしながら、もし液体バリヤーシート１２８がある程度の呼吸性を有するなら、即ち、シート１２８の水蒸気の通過を可能とするなら有利である。
【００３１】
吸収芯１２９はセルロース毛羽パルプ、ティッシュ、吸収フォームなどの吸収材料から作られることができる。吸収芯は超吸収材料、即ち自重の数倍に相当する体液を吸収してヒドロゲルを形成しうるポリマー材料を含有することもできる。かかる超吸収材料は通常、粒子の形で存在するが、繊維、フレーク、顆粒及びフィルムも利用可能である。さらに、吸収芯１２９は剛化要素、造形要素、結合剤などの非吸収成分を含有することができる。繊維詰物、連続気泡フォーム、分散シートなどの様々なタイプの液体受入れ及び液体分散構造を芯パック１２７に含めることができる。
【００３２】
芯パック１２７に含まれる様々な構成要素は通常の方法で例えば接着剤結合によって又は熱又は超音波での溶接によって互いに接続されることができる。芯パック１２７はもちろんここで記載されたものに加えてさらなる構成要素を含有することができ、例えば、芯パックは液体輸送シート、弾性部材、形状安定部材、造形要素などを含有することができる。吸収芯は二つの吸収シート１３１，１３２で示されているが、代替的な構成を使用することができる。例えば、単一吸収シートはある用途に対して十分であるかもしれず、他の用途は３以上の吸収シートを要求するかもしれない。吸収芯の構成は吸収芯が吸収することが予想される液体の量に適応されることができる。同様に、吸収芯のサイズ及び性質に関して、どのタイプの体排泄物が吸収されるべきか及びどのようにして体排泄物が吸収芯に放出されるかがもちろん重要である。
【００３３】
図３は図１のおむつパンツのように内部弾性材料シート３０３及び外部弾性材料シート３０４によって形成される弾性的に伸張可能な外部パンツ３０２を含むおむつパンツ３０１を示す。外部弾性材料シート３０４はこの場においておむつパンツ３０１の織物状外部シートを構成し、内部弾性材料シートはおむつパンツ３０１における液体バリヤーシート３２８を構成し、液体が使用中おむつパンツ３０１から漏出するのを防止する。外部パンツ３０２はまた、弾性部材３０８，３０９を含み、それらはおむつパンツの脚開口３０５のまわりに配置され、それらは外部パンツ３０２の織物状外部シート３０４と液体バリヤーシート３２８の間に固定される。織物状外部シート３０４は弾性不織材料からなることが好都合である。
【００３４】
液体バリヤーシート３２８は弾性液密プラスチックフィルム、弾性液密不織材料などからなる。
【００３５】
図１に示されたおむつパンツ１０１と同様にして、外部パンツ３０２は前部分３２１、後部分３２２及びこれらの間にある狭い股部分３２３を伴って設計される。外部パンツ３０２はまた、二つの側部継目３２５，３２６を有し、それらは腰開口３０７と脚開口３０５，３０６の間で前部分３２１を後部分３２２に接続し、それらはおむつパンツ３０１の使用中使用者のヒップを横切って配置されることを意図される。
【００３６】
吸収芯３２９は弾性的に伸張可能な外部パンツ３０２の内側に固定される。吸収芯３２９は例えば接着剤結合によって外部パンツ３０２の液体バリヤーシート３２８に固定される。吸収芯３２９は液体バリヤーシート３２８の最も近くに配置される第一液体収集シート３３１、及び液体収集シート３３１と液体透過性内部シートの間に配置された第二液体受入れシート３３２を含む。液体透過性内部シート３３０は液体透過性不織材料、有孔プラスチックフィルム、ネット材料などであることができる。液体透過性内部シート３３０は弾性又は非弾性であることができる。示された図示例では、内部シート３３０はおむつパンツの内側の全体を横切って延び、従って使用者の皮膚に対して織物状内部シートを形成する。かかる例では、内部シートは弾性である。非弾性内部シートを使用するとき、それは外部パンツ３０２の小さな表面上にだけ適用され、かくして吸収芯３２９は外部パンツ３０２の弾性に対する悪影響を最小にしてカバーされる。
【００３７】
吸収芯３２９は二つのシート構造として示されるが、もちろん図１に示されたおむつパンツと同様の方法で他のタイプの吸収体を使用することができる。
【００３８】
体液を吸収するための吸収物品における吸収体は通常、繊維シート、例えばセルロース毛羽パルプからなる。結合剤、例えば感熱繊維とともに結合された繊維シートを使用することもできる。超吸収材料と称されるポリマーゲル形成吸収材料を使用することも慣習的である。それは繊維と混合されるか又は別個のキャリアシート上に配置されることができる。材料の選択のような吸収体４０９の設計はもちろん意図される用途によって及び吸収体が吸収できることが期待される液体の量によって決められる。
【００３９】
本発明は上記図示例によって限定されるものとしてみなすべきではなく、多数のさらなる変形及び修正が本発明の範囲内で可能である。
【図面の簡単な説明】
【００４０】
【図１】芯パックを含む本発明の第一例によるおむつパンツを示す。
【図２】図１の芯パックを示す。
【図３】本発明の第二例によるおむつパンツを示す。
【図１】
2005517497.tif 000003
【図２】
2005517497.tif 000004
【図３】
2005517497.tif 000005
【国際調査報告】
2005517497.tif 000006
2005517497.tif 000007